(57)【要約】      （修正有）【課題】安定した構造を有する積み重ね可能で入れ子式の調理器具を提供する。【解決手段】入れ子状で積み重ね可能な調理器具のセットとして、例えば鍋およびフライパンのセットは、調理器具の外壁部に取り付けられた止め具によって安定した構造で維持される。積み重ねられて入れ子にされた調理器具の各アイテム１１，１２，１３は、アイテムの対辺の外壁部に取り付けられた２つの止め具１４，１５によって下側アイテム１３の縁部に支持される。各止め具は、有限個の点で積み重ねにおける下側アイテムの縁部に接触するように形成および構成されている。接点は、同一平面内にあり、これにより積み重ねられた調理器具の壁部または底部が下側の調理器具アイテムに接触することなく、積み重ねられた調理器具アイテムを下側の調理器具アイテム上に直立的に支持する。【選択図】図１
2020099664.tif 000002
【特許請求の範囲】
【請求項１】
第１底部、前記第１底部から立ち上がって前記第１底部と一体の第１壁部、前記第１壁部の頂部にあって前記第１壁部と一体の第１縁部、前記第１底部と前記第１縁部との間で前記第１壁部の外面に接続されて前記第１壁部から外側へ延びる第１止め具、および、前記第１底部と前記第１縁部との間で前記第１壁部の外面に接続されて前記第１壁部から外側へ延びる第２止め具を備える第１調理器具アイテムと、
第２底部、前記第２底部から立ち上がって前記第２底部と一体の第２壁部、および、前記第２壁部の頂部にあって前記第２壁部と一体の第２縁部を備える第２調理器具アイテムと
を備え、
前記第１調理器具アイテムは、前記第１底部および前記第１壁部が前記第２底部または前記第２壁部と接触することなく、前記第２調理器具アイテム内に積み重ねられて入れ子にされ、
前記第１止め具は第２縁部と正確に１つまたは正確に２つの接点で接触し、前記第２止め具は前記第２縁部と正確に２つの接点で接触して、前記第１調理器具アイテムを前記第２調理器具アイテムに積み重ねて入れ子の状態で支持する、積み重ね可能で入れ子状の調理器具アイテムの調理器具セット。
【請求項２】
前記第１止め具および前記第２止め具は、前記第１調理器具アイテムの対辺に位置する、請求項１に記載の調理器具セット。
【請求項３】
前記第１止め具または前記第２止め具は、前記第１底部から前記第１縁部の方向に高さを有し、前記高さよりも大きい幅を有している、請求項１に記載の調理器具セット。
【請求項４】
前記第１止め具は正確に１つまたは正確に２つの接点を画定する非直線形の輪郭の下端を有し、前記第２止め具は正確に２つの接点を画定する非直線形の輪郭の下端を有する、請求項１に記載の調理器具セット。
【請求項５】
全ての前記接点は、同一平面内にある、請求項１に記載の調理器具セット。
【請求項６】
前記第１調理器具アイテムは、前記第１壁部に取り付けられた第１取っ手を有し、前記第１壁部から外側へ延びている、請求項１に記載の調理器具セット。
【請求項７】
前記第１取っ手は、前記第１止め具に隣接して上方にあり、前記第１止め具と一体でない、請求項６に記載の調理器具セット。
【請求項８】
前記第１取っ手は、一体的に前記第１止め具の一部である、請求項６に記載の調理器具セット。
【請求項９】
前記第１調理器具アイテムは前記第１底部と前記第１縁部との間で前記第１壁部の外面に接続されて前記第１壁部から外側へ延びる第３止め具をさらに備え、前記第３止め具は前記第２縁部と正確に１つまたは正確に２つの接点で接触する、請求項１に記載の調理器具セット。
【請求項１０】
第３底部、前記第３底部から立ち上がって前記第３底部と一体の第３壁部、および、前記第３壁部の頂部にあって前記第３壁部と一体の第３縁部を備える第３調理器具アイテムをさらに備え、
前記第２調理器具アイテムは、前記第２底部と前記第２縁部との間で前記第２壁部の外面に接続されて前記第２壁部から外側へ延びる第３止め具、および、前記第２底部と前記第２縁部との間で前記第２壁部の外面に接続されて前記第２壁部から外側へ延びる第４止め具をさらに備え、
前記第２調理器具アイテムは、前記第２底部および前記第２壁部が前記第３底部または前記第３壁部と接触することなく、前記第３調理器具アイテム内に積み重ねられて入れ子にされ、
前記第３止め具は前記第３縁部と正確に１つまたは正確に２つの接点で接触し、前記第４止め具は前記第３縁部と正確に２つの接点で接触して、前記第２調理器具アイテムを前記第３調理器具アイテム内に積み重ねて入れ子の状態で支持する、請求項１に記載の調理器具セット。
【請求項１１】
第２調理器具アイテム内に入れ子状にされ積み重ねられるようにされている積み重ね可能な調理器具アイテムであって、
前記積み重ね可能な調理器具アイテムは、第１底部、前記第１底部から立ち上がって前記第１底部と一体の第１壁部、前記第１壁部の頂部にあって前記第１壁部と一体の第１縁部、前記第１底部と前記第１縁部との間で前記第１壁部の外面に接続されて前記第１壁部から外側へ延びる第１止め具、および、前記第１底部と前記第１縁部との間で前記第１壁部の外面に接続されて前記第１壁部から外側へ延びる第２止め具を備え、
前記第１止め具は前記第２調理器具アイテムの縁部と正確に１つまたは正確に２つの接点で接触するようにされ、前記第２止め具は前記第２調理器具アイテムの前記縁部と正確に２つの接点で接触するようにされて、前記第１底部および前記第１壁部が前記第２調理器具アイテムの底部または壁部と接触しないように、前記積み重ね可能な調理器具アイテムを前記第２調理器具アイテム内に積み重ねて入れ子の状態で支持する、積み重ね可能な調理器具アイテム。
【請求項１２】
前記第１止め具および前記第２止め具は、前記積み重ね可能な調理器具アイテムの対辺に位置する、請求項１１の積み重ね可能な調理器具アイテム。
【請求項１３】
前記第１止め具または前記第２止め具は、前記第１底部から前記第１縁部の方向に高さを有し、前記高さよりも大きい幅を有する、請求項１１に記載の積み重ね可能な調理器具アイテム。
【請求項１４】
前記第１止め具は正確に１つまたは正確に２つの接点を画定する非直線形の輪郭の下端を有し、前記第２止め具は正確に２つの接点を画定する非直線形の輪郭の下端を有する、請求項１１に記載の積み重ね可能な調理器具アイテム。
【請求項１５】
全ての前記接点は、同一平面内にある、請求項１１に記載の積み重ね可能な調理器具アイテム。
【請求項１６】
前記積み重ね可能な調理器具アイテムは、前記第１壁部に取り付けられて前記第１壁部から外側へ延びる第１取っ手を有する、請求項１１に記載の積み重ね可能な調理器具アイテム。
【請求項１７】
前記第１取っ手は、前記第１止め具に隣接して上方にあり、前記第１止め具と一体でない、請求項１１に記載の積み重ね可能な調理器具アイテム。
【請求項１８】
前記第１取っ手は、一体的に前記第１止め具の一部である、請求項１１に記載の積み重ね可能な調理器具アイテム。
【請求項１９】
前記第１底部と前記第１縁部との間で前記第１壁部の外面に接続されて前記第１壁部から外側へ延びる第３止め具をさらに備え、
前記第３止め具は前記第２調理器具アイテムの前記縁部と正確に１つまたは正確に２つの接点で接触するようにされて、前記第１底部および前記第１壁部が前記第２調理器具アイテムの底部または壁部と接触しないように前記調理器具アイテムを前記第２調理器具アイテム内に積み重ねて入れ子の状態で支持する、請求項１１に記載の積み重ね可能な調理器具アイテム。
【請求項２０】
外壁部を有する第１調理器具アイテムおよび縁部を有する第２調理器具アイテムからなる調理器具セットにおいて、前記第１調理器具アイテムは、第２調理器具アイテム内に入れ子にされるサイズと形状になっており、改善点として前記第１調理器具アイテムの前記外壁部に取り付けられた第１止め具および第２止め具を含み、前記第１止め具は前記第２調理器具アイテムの前記縁部と正確に１つまたは正確に２つの接点で接触するようにされ、前記第２止め具は前記第２調理器具アイテムの前記縁部と正確に２つの接点で接触するようにされて、前記第１調理器具アイテムを前記第２調理器具アイテム内に積み重ねて入れ子の状態で支持する、前記改善点。
【請求項２１】
前記第１止め具および前記第２止め具は、前記積み重ね可能な調理器具アイテムの対辺に位置する、請求項２０に記載の前記改善点。
【請求項２２】
前記第１止め具または前記第２止め具は、前記第１底部から前記第１縁部への方向に高さを有し、前記高さよりも大きい幅を有する、請求項２０に記載の前記改善点。
【請求項２３】
前記第１止め具は正確に１つまたは正確に２つの接点を画定する非直線形の輪郭の下端を有し、前記第２止め具は正確に２つの接点を画定する非直線形の輪郭の下端を有する、請求項２０に記載の前記改善点。
【発明の詳細な説明】
【技術分野】
【０００１】
本技術は、互いに積み重なって入れ子になるように構造化および構成された家庭用または商用の調理器具アイテムとして、例えば鍋やフライパンに関する。好ましくは、積み重ねがユーザによって動かされたとき、または、積み重ねにアイテムが追加されたとき、積み重ねられて入れ子にされたアイテムが積み重ねにおいて殆どまたは全く揺れたり移動したりする傾向がないように、調理器具アイテムの積み重ねが安定した構造で積み重ねられて入れ子にされる。調理器具アイテムは、調理器具アイテムが安定した構造で積み重ねられて入れ子にされることを妨げる可能性のある、アイテムから延在する付属の取っ手を含んでもよい。シンプルで頑丈で低コストのデザインもまた調理器具アイテムには好ましい。
【背景技術】
【０００２】
本出願は、２０１８年１２月１９日に出願された米国仮特許出願第６２／７８２１１４号からの優先権を主張し、これはあらゆる目的のためにその全体を参照することによって援用されている。
【０００３】
本出願はまた、２０１９年１月２日に出願された米国特許出願第２９／６７５５０５号の一部継続出願であり、これはあらゆる目的のためにその全体を参照することによって援用されている。
【発明の概要】
【０００４】
本技術の一態様によれば、調理器具セットとして、例えば鍋およびフライパンのセットは、直径が増大するかまたは先細った壁部を有する一連の個々の調理器具アイテムからなると、それらは互いに入れ子状にできる。少なくとも一部の調理器具アイテムは、それらが入れ子にされている下側のアイテムのリップまたは縁部に接触することによって入れ子にされたアイテムを支持するために、アイテムの外側に取り付けられた１つ以上の止め具を備える。
【０００５】
好ましくは、限定されるものではないが、本技術によって積み重ねられた調理器具アイテムのための止め具は、調理器具アイテムの外面に取り付けられた水平バーからなる。調理器具アイテムは、外面に取り付けられた１つ、２つ、またはそれ以上の止め具を有してもよい。本技術の一態様によれば、積み重ね構造の安定性を向上させるために、アイテムの１つまたは複数の止め具は、正確に３つまたは４つの接点で、積み重ね中の次の下側のアイテムの縁部またはリップに接触する。好ましくは、３つまたは４つの接点は同じ平面上にあり、すなわち同一平面内にあり、その結果、上側の調理器具アイテムは下側の調理器具上に安定した構造で支持され、殆どまたは全く揺れる傾向がない。接点の数は、止め具の下端の形状によって定まる。ここで記載されるように、非直線形の下端を有する止め具は、正確に１つまたは正確に２つの接点を提供してもよい。従って、２つの止め具を有する調理器具は、次の下側のアイテム（すなわち、それが入れ子にされているアイテム）の縁部またはリップと正確に３つまたは４つの接点を有してもよい。
【図面の簡単な説明】
【０００６】
【図１】本技術の非限定的な実施形態による安定構造で積み重ねられ入れ子にされた調理器具アイテムの斜視図。
【図２】本技術の非限定的な実施形態による安定構造で積み重ねられ入れ子にされた調理器具アイテムの斜視図。
【図３】本技術の非限定的な実施形態による安定構造で積み重ねられ入れ子にされた調理器具アイテムの正面図。
【図４】本技術の非限定的な実施形態による安定構造で積み重ねられ入れ子にされた調理器具アイテムの右側面図。
【図５】本技術の非限定的な実施形態による安定構造で積み重ねられ入れ子にされた調理器具アイテムの背面図。
【図６】本技術の非限定的な実施形態による安定構造で積み重ねられ入れ子にされた調理器具アイテムの詳細の斜視図。
【図７】本技術の非限定的な実施形態による安定構造で積み重ねられ入れ子にされた調理器具アイテムの斜視図。
【図８】本技術の非限定的な実施形態による安定構造で積み重ねられ入れ子にされた調理器具アイテムの斜視図。
【図９】本技術の非限定的な実施形態による安定構造で積み重ねられ入れ子にされる構成のフライパンの斜視図。
【図１０】本技術の非限定的な実施形態による安定構造で積み重ねられ入れ子にされる構成のフライパンの斜視図。
【図１１】本技術の非限定的な実施形態による安定構造で積み重ねられ入れ子にされる構成のフライパンの右側面図。
【図１２】本技術の非限定的な実施形態による安定構造で積み重ねられ入れ子にされる構成のフライパンの正面図。
【図１３】本技術の非限定的な実施形態による安定構造で積み重ねられ入れ子にされる構成のフライパンの背面図。
【図１４】本技術の非限定的な実施形態による安定構造で積み重ねられ入れ子にされる構成のフライパンの平面図。
【図１５】本技術の非限定的な実施形態による安定構造で積み重ねられ入れ子にされる構成のフライパンの底面図。
【図１６】本技術の非限定的な実施形態による安定構造で積み重ねられ入れ子にされる構成の第１鍋の斜視図。
【図１７】本技術の非限定的な実施形態による安定構造で積み重ねられ入れ子にされる構成の第１鍋の斜視図。
【図１８】本技術の非限定的な実施形態による安定構造で積み重ねられ入れ子にされる構成の第１鍋の右側面図。
【図１９】本技術の非限定的な実施形態による安定構造で積み重ねられ入れ子にされる構成の第１鍋の正面図。
【図２０】本技術の非限定的な実施形態による安定構造で積み重ねられ入れ子にされる構成の第１鍋の背面図。
【図２１】本技術の非限定的な実施形態による安定構造で積み重ねられ入れ子にされる構成の第１鍋の平面図。
【図２２】本技術の非限定的な実施形態による安定構造で積み重ねられ入れ子にされる構成の第１鍋の底面図。
【図２３】本技術の非限定的な実施形態による安定構造で積み重ねられ入れ子にされる構成の第２鍋の斜視図。
【図２４】本技術の非限定的な実施形態による安定構造で積み重ねられ入れ子にされる構成の第２鍋の斜視図。
【図２５】本技術の非限定的な実施形態による安定構造で積み重ねられ入れ子にされる構成の第２鍋の右側面図。
【図２６】本技術の非限定的な実施形態による安定構造で積み重ねられ入れ子にされる構成の第２鍋の正面図。
【図２７】本技術の非限定的な実施形態による安定構造で積み重ねられ入れ子にされる構成の第２鍋の背面図。
【図２８】本技術の非限定的な実施形態による安定構造で積み重ねられ入れ子にされる構成の第２鍋の平面図。
【図２９】本技術の非限定的な実施形態による安定構造で積み重ねられ入れ子にされる構成の第２鍋の底面図。
【図３０】本技術の非限定的な実施形態による安定構造で積み重ねられ入れ子にされる構成の第３鍋の斜視図。
【図３１】本技術の非限定的な実施形態による安定構造で積み重ねられ入れ子にされる構成の第３鍋の斜視図。
【図３２】本技術の非限定的な実施形態による安定構造で積み重ねられ入れ子にされる構成の第３鍋の正面図。
【図３３】本技術の非限定的な実施形態による安定構造で積み重ねられ入れ子にされる構成の第３鍋の右側面図。
【図３４】本技術の非限定的な実施形態による安定構造で積み重ねられ入れ子にされる構成の第３鍋の平面図。
【図３５】本技術の非限定的な実施形態による安定構造で積み重ねられ入れ子にされる構成の第３鍋の底面図。
【図３６】本技術の非限定的な実施形態による調理器具アイテムの壁部に取り付けられた止め具の模式図。
【図３７】本技術の非限定的な実施形態による調理器具アイテムの壁部に取り付けられた止め具の模式図。
【図３８】本技術の非限定的な実施形態による調理器具アイテムのための複数の異なる止め具の構成図。
【図３９】本技術の非限定的な実施形態による調理器具アイテムのための複数の異なる止め具の構成図。
【図４０】本技術の非限定的な実施形態による止め具の本体の一組の寸法図。（ただし、図３８または図３９のような突起がここで開示される本体に追加され得ることを理解されたい。寸法はｍｍ表記である。）
【発明を実施するための形態】
【０００７】
本技術の非限定的な一態様によれば、図面は、調理器具アイテムの図であって、３つの調理器具アイテムの入れ子状の積み重ねの図を示している。各調理器具アイテムは、底部と、底部から立ち上がって底部と一体の壁部とを有し、壁部は調理器具アイテムの頂部の一体的なリップまたは縁部で終端している。調理器具アイテムは、例えば図１〜図８に示されているように、入れ子状の構成で積み重なるようにサイズおよび形状が定められている。各調理器具アイテムは内径を有し、入れ子にできるように、各アイテムの内径は積み重ねにおいてその下の調理器具アイテムよりも少なくとも僅かに小さい。代替的には、入れ子にするために、調理器具アイテムの壁部は、底部からリップまたは縁部に向かって外側へテーパが付けられている。本技術による入れ子状の調理器具アイテムの積み重ねは、わずか２つのアイテムおよび３つより多くのアイテムを含んでもよいことが理解されよう。
【０００８】
図１〜図８の非限定的な実施形態に示されるように、本技術によれば、３つの調理器具アイテム、具体的には上側アイテム１１、中間アイテム１２、および下側アイテム１３の入れ子状の積み重ね１０が、上側アイテム１１の外面に取り付けられた止め具１４および中間アイテム１２に取り付けられた止め具１５によって安定した構造で保持されている。上側アイテム１１に取り付けられた止め具１４は、中間アイテム１２の縁部１６に接触する。中間アイテム１２に取り付けられた止め具１５は下側アイテム１３の縁部１７に接触する。本実施形態では、調理器具アイテム１１，１２は、図示のように各アイテムの対辺に配置されて取り付けられた２つの止め具１４，１５を有する。好ましくは、これらの止め具と縁部との接触は、入れ子状の調理器具アイテム１１，１２，１３間の唯一の接点であり、即ち調理器具アイテムの壁部および／または底部は接触していない。
【０００９】
止め具１４，１５は、例えば溶接によって調理器具アイテム１１，１２，１３の壁部の外面に取り付けられるか、または、取り付けのために壁部に形成された小さな穴を通じてリベット、ボルト、もしくはネジなどの留め具１８（１対の留め具のみが符合付けされている）によって取り付けられる。好ましくは、止め具は、取り付けられている壁部に曲率がついている場合にはその曲率に一致するように湾曲している。好ましくは、テーパ状または傾斜した外壁部を有する調理器具アイテムへの取り付けのために、壁部に面する止め具の表面（すなわち、内面）も同様に壁部に沿うようにテーパ状であるか、または傾斜している。止め具の反対側の（すなわち、外側の）表面は、止め具の側壁部に対してテーパ状、傾斜状、または直角をなし得る。止め具は、外壁部から外向きに延びる厚さを有する。止め具の厚さは、５ｍｍもしくは約５ｍｍ、または、３ｍｍから１０ｍｍの範囲もしくは約３ｍｍから約１０ｍｍの範囲であり得る。止め具の厚さは、積み重ねにおける下側アイテムの縁部に載置するために十分な厚さでなければならず、それより厚い必要はない。特に、止め具は、取っ手として機能するために十分に厚くなくてもよく、外壁部から十分に延びていなくてもよい。止め具は、好ましくは中実であり、オーブンに対して安全な硬質材料、例えば金属、鋼、アルミニウム、チタン、セラミック、またはオーブンに対して安全なポリマー材料で作られる。調理器具アイテムの壁部に止め具を取り付ける代わりに、止め具を調理器具アイテムの壁部と一体的に形成してもよい。
【００１０】
本技術の一態様によれば、好ましくは、止め具の下面は、有限個数の接点で積み重ね内の下側アイテムの縁部に接触するようにされている。例えば、図１〜図８の非限定的な実施形態では、各止め具１４の下面は、止め具の両端部に２つの鋭部（nib）または丸部（radii）２１を有し、止め具ごとに正確に２つの接点で中間アイテム１６の縁部１２に接触する。このようにして、上側アイテム１１は正確に４点で中間アイテム１２と接触する。同様に、止め具１５の下面は、各止め具に関して２つの鋭部または丸部２０で中間アイテム１３の縁部１７と接触するように形成され、中間アイテム１２は正確に４つの接点で下側アイテムと接触する。
【００１１】
図面は３つの調理器具アイテムが入れ子にされて積み重ねられたセットを示しているが、２つの調理器具アイテムの積み重ねセット、または３つより多くの調理器具アイテムの積み重ねセットも本技術の範囲内であり得ることが理解されよう。
【００１２】
本技術の別の態様によれば、積み重ね可能な調理器具の単一アイテムに、ここで記載の止め具が設けられ、例えば図９〜図３５に示すように、ここで記載の他の調理器具と安定した構造で積み重ねられるようにされている。図９〜図３５に示すように、本技術による単一アイテムの調理器具５０は、そのアイテムの壁部５２に取り付けられた１つ以上の止め具５１を有し、壁部は底部５３から縁部５４まで立ち上がっている。様々な実施形態では、調理器具５０は、止め具５１と縁部５４との間に取り付けられたストレート取っ手５５もしくはループ取っ手５６またはその両方を有してもよい。
【００１３】
一般に、本技術による積み重ね可能で入れ子状の調理器具アイテムのための止め具は、調理器具アイテムの外面に合うように湾曲した長方形のバーまたはバッジの形であってもよく、止め具が取り付けられている壁部と完全に接触した内面を有し、例えば１つ、２つ、３つ、またはそれ以上の有限個数の点で下側の調理器具アイテムの縁部に接触するようにされている突起部または鋭部を有する。
【００１４】
図３８および図３９の非限定的な実施形態に示されるように、止め具の突起部または鋭部の例示的な形状は、多角形の頂点で下側の縁部に接触する三角形もしくは他の多角形形状を含み、また、突起部の接点で下側の縁部と接触する半径を有する円、楕円、曲線、もしくは他の丸い形状の一部を含む。図３８は２つの接点で下側アイテムと接触するための２つの突起部３１を有する止め具３０の例を示している一方、図３８の例示的な止め具３２は１つの接点で下側アイテムと接触するための１つの突起部３３を有する。止め具は、（ここでの特許請求の範囲で別段の指定がない限り）調理器具アイテムの積み重ねおよび入れ子を妨げることなく調理器具アイテムに安定して取り付けることができ、有限個数の点で下側の縁部に接触できる任意の形状であり得ることが理解されよう。好ましくは、本発明による止め具と縁部との接点の面積は最小にされる。即ち、この面積はアイテムの壁部への取付品の底面全体に沿って拡張された面積ではない。２つの接点を有する止め具の場合、接点間の距離は、４５ｍｍもしくは約４５ｍｍ、４６ｍｍもしくは約４６ｍｍ、４７ｍｍもしくは約４７ｍｍ、または、４０ｍｍ〜５０ｍｍの範囲内であり得る。止め具が正確に２点より多くの点で下側の縁部に接触するように形成されてもよいことは本技術の範囲内であるが、調理器具アイテムに配置された複数の止め具を有する実施形態において、所望の性能を達成するためにこれは必要ないものであることは理解されよう。
【００１５】
本技術による調理器具アイテムの安定した積み重ねを提供するために、以下の条件が達成されることが好ましい。（１）入れ子にされた調理器具アイテムの止め具が有限個数の点で下側アイテムの縁部に接触する。（２）接点が同一平面内にある。（３）接点は十分に縁部の周囲に分布して、接点まわりで大きく枢動、揺動、または移動する傾向なしに入れ子にされた調理器具アイテムを支持する。（４）入れ子にされた調理器具アイテムおよび下側の調理器具アイテムは、他のいずれの点においても接触しておらず、即ち、調理器具アイテムの壁部、縁部、底部、および任意で取り付けられた取っ手は接触していない。
【００１６】
図３８および図３９は、壁部４１を有する調理器具アイテム４０の概略図を示している。第１止め具４２および第２止め具４３は、壁部４１の直径に跨って壁部４１に取り付けられている。図３８の例では、第１止め具４２および第２止め具４３は、２つの突起部４４をそれぞれ有し、これらは合わせて４つの接点４５を画定する。図３９の例では、第１止め具４２は２つの突起部４４を有し、第２３は１つの突起部４４を有し、これらは合わせて３つの接点４５を画定する。図３９のような止め具と縁部との３つの接点は、当然常に同一平面内にある。図３８のように４つの接点が利用される実施形態では、止め具と縁部との接点が実質的に同一平面内にあるように、止め具の選択および入れ子にされた調理器具アイテムの止め具の配置に注意する必要がある。好ましくは、止め具と縁部との接触に関する平面は、調理器具アイテムの底部の平面と平行であり、調理器具アイテムの縁部の平面とも平行であり、これにより、調理器具アイテムが直立した状態で止め具によって縁部に支持され、調理器具アイテムの壁部、縁部、底部、および取り付けられている取っ手が接触する可能性を最小限に抑制する。このようにして、調理器具アイテムは、ここで開示されているように、積み重ねにおいて、取っ手、止め具、縁部、または他の要素を連結することなく安定した構造で積み重ねられる。
【００１７】
本技術によれば、取っ手は入れ子にされた調理器具アイテムの壁部および／または縁部に取り付けられてもよい。取っ手は止め具の上に配置されてもよい。代替的には、止め具および取っ手は、両方の機能を有する単一の部分として組み合わされてもよい。しかしながら、本技術による止め具は、取っ手として機能する必要はなく、例えば、比較的細く、調理器具アイテムの壁部から取っ手として実用的に使用するべく十分に延びていなくてもよいことを理解されたい。止め具は、その下向きの突起部が積み重ね内の下側アイテムの縁部と接触することを可能にするために、壁部から十分遠くへ延びているだけでよい。本技術のこの態様では、止め具は、下側の調理器具アイテムの縁部で測定して下側の調理器具アイテムの外径を超えて延びないような厚さを有するか、当該外径を超えて１ｃｍ未満で延びているか、当該外径を超えて０．５ｃｍ未満で延びているか、当該外径を超えて０．２５ｃｍ未満で延びているか、または、当該外径を超えて０．１ｃｍ未満で延びている。
【００１８】
図示していないが、本技術の他の非限定的な実施形態によれば、調理器具アイテムは、その外面に取り付けられた３つの止め具を備え、３つの止め具のそれぞれは、下側アイテムの縁部に正確に１点で接触するように構成される（例えば、図３９に示す形状のいずれかを持つなど）。好ましくは、３つの止め具は調理器具アイテムの側面の周りに均等に離間している。１つまたは複数の取っ手を１つまたは複数の止め具の上に取り付けてもよい。
【００１９】
また、図示および説明された積み重ね可能な調理器具の装飾的外観は本技術の範囲内であることも理解されよう。
【００２０】
本発明の原理の適用を例示するために本発明の特定の実施形態を詳細に示して説明したが、本発明はそのような原理から逸脱することなく他の方法で実施できることを理解されたい。本発明は、ここで開示されている特徴および要素の任意の組み合わせ、ならびに同等の特徴の任意の組み合わせを含むことも理解されよう。ここで示されている例示的な実施形態は、例示の目的のためにのみ提示されており、本発明の範囲を限定することを意図するものではない。
【符号の説明】
【００２１】
１１  上側アイテム（調理器具アイテム）
１２  中間アイテム（調理器具アイテム）
１３  下側アイテム（調理器具アイテム）
１４，１５  止め具
１６，１７  縁部
１８  留め具
２０，２１  丸部
３０，３２  止め具
３１，３３  突起部
４０  調理器具アイテム
４１  壁部
４２  止め具（第１止め具）
４３  止め具（第２止め具）
４４  突起部
４５  接点
５０  調理器具
５１  止め具
５２  壁部
５３  底部
５４  縁部
５５，５６  取っ手
【図１】
2020099664.tif 000003
【図２】
2020099664.tif 000004
【図３】
2020099664.tif 000005
【図４】
2020099664.tif 000006
【図５】
2020099664.tif 000007
【図６】
2020099664.tif 000008
【図７】
2020099664.tif 000009
【図８】
2020099664.tif 000010
【図９】
2020099664.tif 000011
【図１０】
2020099664.tif 000012
【図１１】
2020099664.tif 000013
【図１２】
2020099664.tif 000014
【図１３】
2020099664.tif 000015
【図１４】
2020099664.tif 000016
【図１５】
2020099664.tif 000017
【図１６】
2020099664.tif 000018
【図１７】
2020099664.tif 000019
【図１８】
2020099664.tif 000020
【図１９】
2020099664.tif 000021
【図２０】
2020099664.tif 000022
【図２１】
2020099664.tif 000023
【図２２】
2020099664.tif 000024
【図２３】
2020099664.tif 000025
【図２４】
2020099664.tif 000026
【図２５】
2020099664.tif 000027
【図２６】
2020099664.tif 000028
【図２７】
2020099664.tif 000029
【図２８】
2020099664.tif 000030
【図２９】
2020099664.tif 000031
【図３０】
2020099664.tif 000032
【図３１】
2020099664.tif 000033
【図３２】
2020099664.tif 000034
【図３３】
2020099664.tif 000035
【図３４】
2020099664.tif 000036
【図３５】
2020099664.tif 000037
【図３６】
2020099664.tif 000038
【図３７】
2020099664.tif 000039
【図３８】
2020099664.tif 000040
【図３９】
2020099664.tif 000041
【図４０】
2020099664.tif 000042
【外国語明細書】
2020099664000001.pdf